(57)【要約】【課題】取材対象事象の中から、価値のある有効な取材情報を確保することが可能な、取材情報提供装置及び取材用携帯端末装置を提供することを課題とする。【解決手段】サーバー３は取材依頼元端末１から取材依頼を受けると、この取材依頼に含まれている取材場所に近い位置に、取材者の携帯端末２が現存しているか否かを検出する。この結果、検出された位置の近傍に携帯端末２が現存していると検出された場合は、前記近傍に現存している携帯端末２に向けて取材依頼情報を送信する。前記近傍に現存している携帯端末２は、この送信された取材依頼情報を受けて、この取材依頼情報に対応した取材を行いその取材に対応した取材情報をサーバー３へ送信する。サーバー３はこの取材情報に対応する取材取材依頼元端末１へ配信する。【選択図】　図１
2004096413.tif 000002
【特許請求の範囲】
【請求項１】
取材依頼元端末から送られてきた取材依頼情報を受信する第１の受信手段と、
この第１の受信手段により受信された取材依頼情報に含まれている取材場所情報に対応する取材依頼先端末へ前記取材依頼情報を送信する第１の送信手段と、
この第１の送信手段により送信された取材依頼情報に従った取材情報を前記取材依頼先端末から受信する第２の受信手段と、
この第２の受信手段により受信された取材情報を前記取材依頼元端末へ送信する第２の送信手段と、
を備えていることを特徴とする取材情報提供装置。
【請求項２】
取材依頼元端末から送られてきた取材依頼情報を受信する第１の受信手段と、
この第１の受信手段により受信された取材依頼情報に含まれている取材場所情報に対応し、かつ、前記取材依頼情報に含まれている端末の機器情報に対応する取材依頼先端末へ前記取材依頼情報を送信する第１の送信手段と、
この第１の送信手段により送信された取材依頼情報に従った取材情報を前記取材依頼先端末から受信する第２の受信手段と、
この第２の受信手段により受信された取材情報を前記取材依頼元端末へ送信する第２の送信手段と、
を備えていることを特徴とする取材情報提供装置。
【請求項３】
取材依頼元端末から送られてきた取材依頼情報を受信する第１の受信手段と、
この第１の受信手段により受信された取材依頼情報に含まれている取材場所の近傍に取材依頼先端末が現存しているか否かを検出する端末現存検出手段と、
この端末現存検出手段により前記取材依頼先端末が前記取材場所の近傍に現存していると検出された場合、この検出された取材依頼先端末へ前記第１の受信手段により受信された取材依頼情報を送信する第１の送信手段と、
この送信手段により送信された取材依頼情報に従った取材情報を前記取材依頼先端末から受信する第２の受信手段と、
この第２の受信手段により受信された取材情報を前記取材依頼元端末へ送信する第２の送信手段と、
を備えていることを特徴とする取材情報提供装置。
【請求項４】
前記第２の送信手段により送信された取材情報に対応する対価を前記取材依頼元端末から徴収する対価徴収手段を更に備えていることを特徴とする請求項２記載の取材情報提供装置。
【請求項５】
前記第２の受信手段により受信された取材情報を編集した編集内容を取材依頼元端末に送信する第３の送信手段を更に備えていることを特徴とする請求項１記載の取材情報提供装置。
【請求項６】
前記第２の受信手段により受信された取材情報に対応した対価の支払い通知を金融機関の端末に向けて行うように制御する第１の制御手段を更に備えていることを特徴とする請求項１記載の取材情報提供装置。
【請求項７】
前記第２の受信手段により取材情報を受信するに先だって、前記取材依頼元からの取材依頼を受け取材依頼先となる者を募集するための取材者募集用ホームページを前記インターネット上に掲載するように制御する第２の制御手段を更に備えていることを特徴とする請求項１記載の取材情報提供装置。
【請求項８】
前記第２の受信手段により取材情報を受信するに先だって、インターネット上に取材者募集用ホームページを掲載した後に、前記取材依頼元の端末から応募された応募データを含む送信データを受信するように制御する第３の制御手段を更に備えていることを特徴とする請求項１記載の取材情報提供装置。
【請求項９】
前記受信手段により取材情報を受信するに先だって、インターネット上に取材者募集用ホームページを掲載した後に、前記取材依頼元の端末から応募された応募データを含む送信データに基づいて取材適格を判断し、この判断により取材者登録を行った後、登録者登録済み関連情報を送信するように制御する第４の制御手段を更に備えていることを特徴とする請求項１記載の取材情報提供装置。
【請求項１０】
前記受信手段により取材情報を受信するに先だって、インターネット上に取材者募集用ホームページを掲載した後に、前記取材依頼元の端末から応募された応募データを含む送信データに基づいて取材適格を判断し、この判断により取材者登録を行った後、取材者登録済み関連情報を送信し、この送信の前後に、前記取材依頼元端末からの取材依頼情報を受信するように制御する第５の制御手段を更に備えていることを特徴とする請求項１記載の取材情報提供装置。
【請求項１１】
前記位置検出手段は、前記取材依頼元端末から取材依頼情報を前記取材依頼先端末が受信する都度、前記取材依頼先端末の現在場所を検出し、この現在場所に近い位置に現存する前記取材依頼元端末を検出する取材依頼元端末検出手段を備えていることを特徴とする請求項１記載の取材情報提供装置。
【請求項１２】
前記第２の送信手段は、前記取材情報に代えて取材情報を編集し、この編集された編集情報を前記取材依頼元端末へ送信する編集情報送信手段を備えていることを特徴とする請求項１記載の取材情報提供装置。
【請求項１３】
管理用サーバーを介して取材依頼元端末から送信された取材依頼情報を受信する受信手段と、
この受信手段により受信された取材依頼情報を表示部に表示させる表示制御手段と、
この表示制御手段の制御により表示された取材依頼情報に従って取材を行い、この取材結果である取材情報を前記管理用サーバーに向けて送信する送信手段と、
を備えていることを特徴とする取材用携帯端末装置。
【請求項１４】
ネットワークを介して管理用サーバーと接続されている取材用携帯端末装置において、
取材場所に関する取材場所情報を含む取材依頼情報を送信する送信手段と、
この送信手段により送信された取材場所情報に対応する取材場所における取材情報を前記管理用サーバーから受信する受信手段と、
を備えていることを特徴とする取材用携帯端末装置。
【請求項１５】
前記受信手段により受信された取材情報に対応する対価に関するデータを前記管理用サーバーに向けて送信するように制御する第１の制御手段を更に備えていることを特徴とする請求項１４記載の取材用携帯端末装置。
【請求項１６】
前記送信手段により取材情報を送信後、この送信した取材情報に対応した対価の支払い通知を、金融機関の端末および前記管理用サーバーのうち少なくとも一方から受信するように制御する第１の制御手段を更に備えていることを特徴とする請求項１４記載の取材用携帯端末装置。
【請求項１７】
前記受信手段により取材依頼情報を受信するに先だって、インターネット上に掲載されている取材者募集用ホームページを管理用サーバーから受信するように制御する第２の制御手段を更に備えていることを特徴とする請求項１４記載の取材用携帯端末装置。
【請求項１８】
前記受信手段により取材依頼情報を受信するに先だって、インターネット上に掲載されている取材者募集用ホームページを管理用サーバーから受信し、この受信された取材者募集用ホームページに従って入力された応募データを管理用サーバーに向けて送信するように制御する第３の制御手段を更に備えていることを特徴とする請求項１４記載の取材用携帯端末装置。
【請求項１９】
前記受信手段により取材依頼情報を受信するに先だって、インターネット上に掲載されている取材者募集用ホームページを管理用サーバーから受信し、この受信された取材者募集用ホームページに従って入力された応募データと自己の端末の機器情報と併せて管理用サーバーに向けて送信するように制御する第４の制御手段を更に備えていることを特徴とする請求項１４記載の取材用携帯端末装置。
【請求項２０】
前記受信手段により取材依頼情報を受信するに先だって、インターネット上に掲載されている取材者募集用ホームページを管理用サーバーから受信し、この受信された取材者募集用ホームページに従って入力された応募データを管理用サーバーに向けて送信した後、前記管理用サーバーから取材者登録済み関連情報を受信するように制御する第５の制御手段を更に備えていることを特徴とする請求項１４記載の取材用携帯端末装置。
【発明の詳細な説明】
【０００１】
【発明の属する技術分野】
本発明は、携帯電話、パソコンなどの端末に用いて有用な取材情報提供装置及び取材用携帯端末装置に関する。
【０００２】
【従来の技術】
電子新聞をネットワークで供給する電子新聞サーバーに、無線により接続された取材端末が有する画像入力手段により取材対象の撮影を行い、画像データを電子新聞サーバーに送信する一方で、取材端末の位置情報、取材者が口頭で述べた音声メール形式の記事、取材端末の周辺温度等の環境データを同時に送信し、電子新聞サーバーが受信したデータが、編集会議室で検討され、取材者への指示や、他の取材端末を有する取材者への応援依頼や、記事の電子新聞サーバーによる発行が行われるようにした取材情報提供システム及び取材用携帯端末装置が開発されている（例えば、特開平８−３２２０９１号公報）。
この取材情報提供システム及び取材用携帯端末装置によれば、電子カメラ及びディジタルビデオは、取材現場の状況を映像情報として入力し、ディジタル信号とすることが出来、携帯端末が画像情報をサーバーに転送することを可能とする。これにより従来携帯端末だけで入力し得る文字による原稿だけではなく、映像情報も入力し、サーバーに転送するという、いわゆる基本的な取材機能を達成することが出来る。
【０００３】
また、現在位置検出手段は、取材者の所在地をいちいち取材者自身が言葉により報告することなく、自動的にサーバーに報告することが出来、撮影した写真の現場位置や、取材者自身の行動追跡を行うことが出来る。
また、音声入力手段を持つことで、取材者が現場の取材中に、原稿の入力や電話をかけて相手が出るのを待つという時間のロスで、取材のタイミングを逸するということがなく、取材者は撮影しながら現場の状況をしゃべるだけで、通信に気を使うことなく取材に専念することが出来る。
【０００４】
一方、サーバーは携帯端末から送信された画像情報、音声メール情報、そして携帯端末の位置情報を受信する。サーバー側にいる記者は、この情報を用いて現場状況を判断し、ニュース原稿を作成して即時ニュースとして報道する。また、現場の状況により、現地の取材者に個別に行動指示を送って、例えば他の場所にいる取材者を応援に行かせるといった操作を可能とする。
また、地域固定方式のライブカメラが知られている。地域固定方式のライブカメラを用いて遠隔地にいる者が遠隔操作で当該地域の現況を見ることを可能とする。
【０００５】
【発明が解決しようとする課題】
しかしながら、前述した従来の取材情報提供システム及び取材用携帯端末装置の場合、取材者は新聞社内のものに限られているので、殺傷事件、交通事故、火災といった取材対象事象がリアルタイムで変わっていく状況に対応し、迅速かつ確実な取材活動などを行えない
という課題があった。
また、地域固定方式のライブカメラの場合、ライブカメラは特定の地域に固定であり、遠隔者にとり有益な撮影画像等を迅速かつ確実に取得できないという課題があった。
【０００６】
そこで、本発明は、待ち合わせ人、徘徊老人、迷子といった個人的な取材対象ばかりでなく、火災、交通事故といった社会的な取材事象を含む価値のある有効な取材情報を迅速かつ確実に確保することが可能な、取材情報提供装置及び取材用携帯端末装置を提供することを目的とする。
また、本発明は、取材対象事象がリアルタイムで変わっていく状況に対応し、全国に所在する取材依頼先登録者の中から、取材対象事象の近傍位置に現存する取材依頼先に対し迅速かつ確実な取材活動を依頼することが可能な、取材情報提供装置及び取材用携帯端末装置を提供することを目的とする。
また、本発明は、特定の地域に存在するカメラ付き携帯電話などの携帯端末をもつ取材依頼先から、有益な撮影画像などの情報を迅速かつ確実に取得できることが可能な、取材情報提供装置及び取材用携帯端末装置を提供することを目的とする。
【０００７】
【課題を解決するための手段】
本発明は、このような課題を達成するために、次のような特徴を備えている。
【０００８】
請求項１記載の発明に係る取材情報提供装置は、例えば、図１〜図６に示すように、
取材依頼元端末から送られてきた取材依頼情報を受信する第１の受信手段と、
この第１の受信手段により受信された取材依頼情報に含まれている取材場所情報に対応する取材依頼先端末へ前記取材依頼情報を送信する第１の送信手段と、この第１の送信手段により送信された取材依頼情報に従った取材情報を前記取材依頼先端末から受信する第２の受信手段と、
この第２の受信手段により受信された取材情報を前記取材依頼元端末へ送信する第２の送信手段と、
を備えている。
請求項２記載の発明に係る取材情報提供装置は、例えば、図１〜図６に示すように、
取材依頼元端末から送られてきた取材依頼情報を受信する第１の受信手段と、
この第１の受信手段により受信された取材依頼情報に含まれている取材場所情報に対応し、かつ、前記取材依頼情報に含まれている端末の機器情報に対応する取材依頼先端末へ前記取材依頼情報を送信する第１の送信手段と、
この第１の送信手段により送信された取材依頼情報に従った取材情報を前記取材依頼先端末から受信する第２の受信手段と、
この第２の受信手段により受信された取材情報を前記取材依頼元端末へ送信する第２の送信手段と、
を備えていることを特徴とする。
請求項３記載の発明に係る取材情報提供装置は、例えば、図１〜図６に示すように、
取材依頼元端末から送られてきた取材依頼情報を受信する第１の受信手段と、
この第１の受信手段により受信された取材依頼情報に含まれている取材場所の近傍に取材依頼先端末が現存しているか否かを検出する端末現存検出手段と、
この端末現存検出手段により前記取材依頼先端末が前記取材場所の近傍に現存していると検出された場合、この検出された取材依頼先端末へ前記第１の受信手段により受信された取材依頼情報を送信する第１の送信手段と、
この送信手段により送信された取材依頼情報に従った取材情報を前記取材依頼先端末から受信する第２の受信手段と、
この第２の受信手段により受信された取材情報を前記取材依頼元端末へ送信する第２の送信手段と、
を備えていることを特徴とする。
【０００９】
請求項１記載の発明によれば、取材依頼元端末から送られてきた取材依頼情報を受信し、この受信された取材依頼情報に含まれている取材場所情報に対応する取材依頼先端末へ前記取材依頼情報を送信した上で、この送信された取材依頼情報に従った取材情報を前記取材依頼先端末から受信することができ、この受信された取材情報を前記取材依頼元端末へ送信することができる。
請求項２記載の発明によれば、取材依頼元端末から送られてきた取材依頼情報を受信し、この受信された取材依頼情報に含まれている取材場所情報に対応し、かつ、前記取材依頼情報に含まれている端末の機器情報に対応する取材依頼先端末へ前記取材依頼情報を送信すると、この送信された取材依頼情報に従った取材情報を前記取材依頼先端末から受信することができ、この受信された取材情報を前記取材依頼元端末へ送信することができる。
請求項３記載の発明によれば、取材依頼元端末から送られてきた取材依頼情報を受信し、この受信された取材依頼情報に含まれている取材場所の近傍に取材依頼先端末が現存しているか否かを検出し、この取材者端末が前記取材場所の近傍に現存していると検出された場合、この検出された取材者端末へ前記第１の受信手段により受信された取材依頼情報を送信すると、この送信された取材依頼情報に従った取材情報を前記取材依頼先端末から受信することができ、この受信された取材情報を前記取材依頼元端末へ送信することができる。
【００１０】
請求項１３記載の発明に係る取材用携帯端末装置は、
管理用サーバーを介して取材依頼元端末から送信された取材依頼情報を受信する受信手段と、
この受信手段により受信された取材依頼情報を表示部に表示させる表示制御手段と、
この表示制御手段の制御により表示された取材依頼情報に従って取材を行い、この取材結果である取材情報を前記管理用サーバーに向けて送信する送信手段と、を備えていることを特徴とする。
請求項１４記載の発明に係る取材用携帯端末装置は、
ネットワークを介して管理用サーバーと接続されている取材用携帯端末装置において、
取材場所に関する取材場所情報を含む取材依頼情報を送信する送信手段と、
この送信手段により送信された取材場所情報に対応する取材場所における取材情報を前記管理用サーバーから受信する受信手段と、
を備えていることを特徴とする。
【００１１】
請求項１３記載の発明によれば、管理用サーバーを介して取材依頼元端末から送信された取材依頼情報を受信し、この受信された取材依頼情報を表示部に表示させることができるばかりでなく、この表示された取材依頼情報に従って取材を行い、この取材結果である取材情報を前記管理用サーバーに向けて送信することができる。
請求項１４記載の発明によれば、ネットワークを介して管理用サーバーと接続されている取材用携帯端末装置において、取材場所に関する取材場所情報を含む取材依頼情報を送信すると、この送信された取材場所情報に対応する取材場所における取材情報を前記管理用サーバーから受信することができる。
【００１２】
【発明の実施の形態】
以下、図１〜図６を参照して本発明に係る取材情報提供システムの実施の形態について詳細に説明する。
図１は本実施の形態にかかる取材情報提供システムの全体を示す。
図１に示すように、取材情報提供システムＳは、取材依頼元（登録者）端末１、取材者端末２、および、管理用サーバー３を、通信手段またはネットワークであるインターネットＮを介して接続して構成されている。
【００１３】
管理用サーバー３は、各部全体を制御するためのＣＰＵ６を中心として、取材依頼元（登録者）端末１または取材者端末２からインターネットＮを介して取材者応募データおよび取材情報等を受信するための受信手段となる受信部４ａと、この受信部４ａにより受信した取材情報などを記憶するためのＲＡＭ５と、このＲＡＭ５に記憶された取材情報などに対応した処理結果、および、取材依頼元者端末１・取材者端末２等にインターネットＮを介して各種のデータ・情報を送信するための送信手段となる送信部４ｂとを備えている。なお、受信部４ａと送信部４ｂとで通信部４が構成されている。
このサーバー３は、更に、各種のデータを入力するための入力部７、各種のデータを表示するための表示部８、各種のデータを予め格納しているＲＯＭ９を備えている。
【００１４】
また、取材依頼元端末１は、各部全体を制御するためのＣＰＵ１０を中心として、自己の取材依頼元端末１から管理用サーバー３に向けて取材応募を行った後、取材依頼元登録済み関連情報、取材依頼情報、対価振込完了情報、および、金融機関端末（図示せず）からの対価振込完了情報などといった各種の情報を受信するための受信部１１ａと、管理者サーバー３に向けて取材応募、取材情報などといった各種の情報を、インターネットＮを介して送信するための送信部１１ｂとをそれぞれ備えている。なお、受信部１１ａと送信部１１ｂとで通信部１１が構成されている。
【００１５】
この取材者端末１は、更に、各種のデータを入力するための入力部１３、各種のデータを表示するための表示部１４、各種のデータを予め格納しているＲＯＭ１５を備えている。
入力部１３は、図２（Ａ）に示すように、取材者端末２の場合と同様な働きが可能となるように、取材依頼元端末１自身の端末識別データを記憶する端末識別データ記憶部１３ａと、取材依頼元端末１自身の現在位置を取得するための位置検出機能部１３ｂ、取材依頼元端末１の周囲における取材対象を撮影するための撮影機能部１３ｃ、現在の日付、時刻、曜日といった時刻を計時するための時刻計時機能部１３ｄ、取材状況を取材依頼元端末１または新聞社等の外部の取材端末に伝達するために使われる取材状況伝達機能部１３ｅを備えている。
端末識別データ記憶部１３ａは、端末の製造番号、電話番号、端末所有者名、端末名義人等の識別データを記憶している。位置検出機能部１３ｂは、内蔵されているＧＰＳ、または携帯端末と基地局との通信状況から自己の現在位置を取得する現在位置取得部などから構成されている。撮影機能部１３ｃは、デジタルカメラ、デジタルビデオカメラといった電子的な撮影機能部から構成されている。時刻計時機能部１３ｄは、内蔵されている時刻計時部または標準電波時計などから構成されている。取材状況伝達機能部１３ｅは、相手先と音声で通話可能な通話部、ペンなどによる手書き操作で取材情報を入力可能な手書き入力部、キー操作で取材情報を入力可能なキーボード部などから構成されている。
【００１６】
また、取材者端末２は、各部全体を制御するためのＣＰＵ２０を中心として、サーバー３からの取材依頼などを受信するための受信部２１ａと、この受信部２１ａから受信した情報などを記憶するためのＲＡＭ２２と、サーバー３からの取材依頼に対応した取材情報などを取材依頼元端末１及びサーバー３へインターネットＮを介して送信するための送信部２１ｂとを備えている。なお、受信部２１ａと送信部２１ｂとで通信部２１が構成されている。
この取材者端末２は、更に、各種のデータを入力するための入力部２３、各種のデータを表示するための表示部２４、各種のデータを予め格納しているＲＯＭ２５を備えている。
入力部２３は、図２（Ｂ）に示すように、取材者端末１自身の端末識別データを記憶する端末識別データ記憶部２３ａと、取材者端末１自身の現在位置を取得するための位置検出機能部２３ｂ、取材者端末１の周囲における取材対象を撮影するための撮影機能部２３ｃ、現在の日付、時刻、曜日といった時刻を計時するための時刻計時機能部２３ｄ、取材状況を取材依頼元端末１または新聞社等の外部の取材端末に伝達するために使われる取材状況伝達機能部２３ｅを備えている。
端末識別データ記憶部２３ａは、端末の製造番号、電話番号、端末所有者名、端末名義人等の識別データを記憶している。位置検出機能部２３ｂは、内蔵されているＧＰＳ、または携帯端末と基地局との通信状況から自己の現在位置を取得する現在位置取得部などから構成されている。撮影機能部２３ｃは、デジタルカメラ、デジタルビデオカメラといった電子的な撮影機能部から構成されている。時刻計時機能部２３ｄは、内蔵されている時刻計時部または標準電波時計などから構成されている。取材状況伝達機能部２３ｅは、相手先と音声で通話可能な通話部、ペンなどによる手書き操作で取材情報を入力可能な手書き入力部、キー操作で取材情報を入力可能なキーボード部などから構成されている。
【００１７】
図３（Ａ）は管理用サーバー３に備えられたＲＯＭ９を示す。このＲＯＭ９は、取材者募集用ＨＰ情報記憶領域９ａ、取材者登録済み関連情報記憶領域９ｂ、取材対象端末の近傍範囲情報記憶領域９ｃ、取材依頼情報記憶領域９ｄ、取材期限情報記憶領域９ｅ、および、対価支払い依頼情報記憶領域９ｆを備えている。
【００１８】
取材者募集用ＨＰ情報記憶領域９ａは、取材者募集用の記事内容を記憶している。取材者登録済み関連情報記憶領域９ｂは、取材を応募した者である取材者または取材依頼元に対して通知する取材者登録済み関連情報を記憶している。近傍範囲情報記憶領域９ｃは、取材場所に対する取材者端末の現在位置との間の距離を測る際に使われる取材者端末の近傍範囲情報を記憶している。取材依頼情報記憶領域９ｄは、登録済み取材者に対して取材依頼を行うための情報を記憶している。取材期限情報記憶領域９ｅは、取材依頼元への取材情報の提供期限または新聞社等へ通知する取材期限の情報を記憶している。この取材期限情報記憶領域９ｅは、新聞記事へ登載するまでに間に合う段階的な複数の時刻と、この段階的な複数の記事登載時刻に応じた対価とを示す複数の時刻別金額リストを記憶している。段階的な複数の記事登載時刻は、取材対象発生から新聞記事へ登載するまでに間に合う時刻を複数の時間帯に分けたものであり、取材対象発生の初期段階では対価額が高く、新聞記事へ登載のぎりぎりの段階では対価額が安くなっている。対価支払い依頼情報記憶領域９ｆは、金融機関に対して対価支払いの依頼を行うための情報を記憶している。
【００１９】
図３（Ｂ）は取材依頼元端末１に備えられたＲＯＭ１５を示す。このＲＯＭ１５は、使用機器情報である機器ＩＤ情報記憶領域１５ａ、位置検出機能情報記憶領域１５ｂ、撮影機能情報記憶領域１５ｃ、時刻計時機能情報記憶領域１５ｄ、取材状況伝達機能情報記憶領域１５ｅ、および、対価支払い依頼情報記憶領域１５ｆを備えている。
機器ＩＤ情報記憶領域１５ａは、取材依頼元端末１自体の機器ＩＤ、登録済みの撮影者名または所有者名も含む情報を記憶している。位置検出機能情報記憶領域１５ｂは、取材依頼元端末１に内蔵されたＧＰＳなどにより、現在の位置または場所（緯度・経度・高度）を検出後、その検出された現在位置・場所を記憶している。撮影機能情報記憶領域１５ｃは、デジタルカメラまたはビデオカメラなどの機器の種類、機種名などの各種の情報を記憶している。時刻計時機能情報記憶領域１５ｄは標準電波で時刻を取得するのか、ＧＰＳなどの機器を用いて時刻を取得するのかを示すための情報を記憶している。取材状況伝達機能情報記憶領域１５ｅは、取材状況を伝達するのかを示すための情報を記憶している。対価支払い依頼情報記憶領域１５ｆは、金融機関に対して対価支払いの依頼を行うための情報を記憶している。
図３（Ｃ）は取材者端末２に備えられたＲＯＭ２５を示す。このＲＯＭ２５は、使用機器情報である機器ＩＤ情報記憶領域２５ａ、位置検出機能情報記憶領域２５ｂ、撮影機能情報記憶領域２５ｃ、時刻計時機能情報記憶領域２５ｄ、取材状況伝達機能情報記憶領域２５ｅ、および、対価支払い依頼情報記憶領域２５ｆを備えている。
【００２０】
機器ＩＤ情報記憶領域２５ａは、取材者端末２自体の機器ＩＤ、登録済みの撮影者名または所有者名も含む情報を記憶している。位置検出機能情報記憶領域２５ｂは取材者端末２に内蔵されたＧＰＳなどにより、現在の位置または場所（緯度・経度・高度）を検出後、その検出された現在位置・場所を記憶している。撮影機能情報記憶領域２５ｃは、デジタルカメラまたはビデオカメラなどの機器の種類、機種名などの各種の情報を記憶している。時刻計時機能情報記憶領域２５ｄは標準電波で時刻を取得するのか、ＧＰＳなどの機器を用いて時刻を取得するのかを示すための情報を記憶している。取材状況伝達機能情報記憶領域２５ｅは、取材状況を伝達するのかを示すための情報を記憶している。対価支払い依頼情報記憶領域２５ｆは、金融機関に対して対価支払いの依頼を行うための情報を記憶している。
【００２１】
図４（Ａ）（Ｂ）及び（Ｃ）は取材依頼元端末１、取材者端末２、および、サーバー３に備えられたＲＡＭ１２、ＲＡＭ５、ＲＡＭ２２を示す。
取材依頼元端末ＲＡＭ１２は、登録画面記憶領域１２ａ、取材応募データ記憶領域１２ｂ、使用機器情報である機器ＩＤ情報記憶領域１２ｃ、位置検出機能情報記憶領域１２ｄ、撮影機能情報記憶領域１２ｅ、時刻計時機能情報記憶領域１２ｆ、取材状況伝達機能情報記憶領域１２ｇ、および、発信時刻記憶領域１２ｈを備えている。
【００２２】
登録画面記憶領域１２ａは、登録画面（フォーマット）を記憶している。取材応募データ記憶領域１２ｂは、取材応募に必要なデータを記憶している。また、機器ＩＤ情報記憶領域１２ｃは、取材依頼元端末１自体の機器ＩＤ、登録済みの撮影者名または所有者名も含む情報を記憶している。位置検出機能情報記憶領域１２ｄは、取材依頼元端末１に内蔵されたＧＰＳなどにより、現在の位置または場所（緯度・経度・高度）を検出後、その検出された現在位置・場所を記憶している。撮影機能情報記憶領域１２ｅは、デジタルカメラまたはビデオカメラなどの機器の種類、機種名などの各種の情報を記憶している。時刻計時機能情報記憶領域１２ｆは標準電波で時刻を取得するのか、ＧＰＳなどの機器を用いて時刻を取得するのかを示すための情報を記憶している。取材状況伝達機能情報記憶領域１２ｇは、通話、手書き入力、キーボードなどどのような入力手段で取材状況を伝達するのかを示すための情報を記憶している。対価支払い依頼情報記憶領域１２ｈは、金融機関に対して対価支払いの依頼を行うための情報を記憶している。
【００２３】
サーバーＲＡＭ５は、金融機関契約情報記憶領域５ａ、取材者募集用ＨＰ情報記憶領域５ｂ、取材者登録済み関連情報記憶領域５ｃ、取材対象端末の近傍範囲情報記憶領域５ｄ、取材依頼情報記憶領域５ｅ、取材期限情報記憶領域５ｆ、および、対価支払い依頼情報記憶領域５ｇを備えている。
【００２４】
金融機関契約情報記憶領域５ａは、金融機関との間で取り交わされる契約情報を記憶する。取材者募集用ＨＰ情報記憶領域５ｂは、取材者募集用の記事内容を記憶する。取材者登録済み関連情報記憶領域５ｃは、取材を応募した者に対して通知する取材者登録済み関連情報を記憶する。近傍範囲情報記憶領域５ｄは、取材対象位置との間の距離を測る際に使われる取材対象端末の近傍範囲情報を記憶する。取材依頼情報記憶領域５ｅは、登録済み取材者に対して取材依頼を行うための情報を記憶する。取材期限情報記憶領域５ｆは、登録済み取材者に対して通知する取材期限の情報を記憶する。この取材期限情報記憶領域５ｇ、新聞記事へ登載するまでに間に合う段階的な複数の時刻と、この段階的な複数の記事登載時刻に応じた対価とを示す複数の時刻別金額リストを記憶する。段階的な複数の記事登載時刻は、取材対象発生から新聞記事へ登載するまでに間に合う時刻を複数の時間帯に分けたものであり、取材対象発生の初期段階では対価額は高く、新聞記事へ登載のぎりぎりの段階では対価額は安くなっている。対価支払い依頼情報記憶領域５ｈは、金融機関に対して対価支払いの依頼を行うための情報を記憶する。
【００２５】
取材者端末ＲＡＭ２２は、登録画面記憶領域２２ａ、取材応募データ記憶領域２２ｂ、使用機器情報である機器ＩＤ情報記憶領域２２ｃ、位置検出機能情報記憶領域２２ｄ、撮影機能情報記憶領域２２ｅ、時刻計時機能情報記憶領域２２ｆ、取材状況伝達機能情報記憶領域２２ｇ、および、発信時刻記憶領域２２ｈを備えている。
登録画面記憶領域２２ａは、登録画面（フォーマット）を記憶している。取材応募データ記憶領域２２ｂは、取材応募に必要なデータを記憶している。また、機器ＩＤ情報記憶領域２２ｃは、取材依頼元端末１自体の機器ＩＤ、登録済みの撮影者名または所有者名も含む情報を記憶している。位置検出機能情報記憶領域２２ｄは、取材依頼元端末１に内蔵されたＧＰＳなどにより、現在の位置または場所（緯度・経度・高度）を検出後、その検出された現在位置・場所を記憶している。撮影機能情報記憶領域２２ｅは、デジタルカメラまたはビデオカメラなどの機器の種類、機種名などの各種の情報を記憶している。時刻計時機能情報記憶領域２２ｆは標準電波で時刻を取得するのか、ＧＰＳなどの機器を用いて時刻を取得するのかを示すための情報を記憶している。取材状況伝達機能情報記憶領域２２ｇは、通話、手書き入力、キーボードなどどのような入力手段で取材状況を伝達するのかを示すための情報を記憶している。対価支払い依頼情報記憶領域２２ｈは、金融機関に対して対価支払いの依頼を行うための情報を記憶している。
【００２６】
図５は、取材依頼元端末１、サーバー３、取材依頼元端末２における各処理を示す。
まず、サーバー３は取材者募集用ＨＰ（ホームページ）をネット上に掲載し、図６（Ａ）に示すような、登録用フォーマットを表示する。そこで、これをネット上で閲覧するため、取材依頼元が取材依頼元端末１を用いて、インターネットＮを介して、サーバー３にアクセスすると、サーバー３に表示されている登録用フォーマットがインターネットＮを介して、サーバー３へ送信される（ステップＳ１）。取材依頼元端末１は登録用フォーマットを含む登録画面データを受信するとともに、ＲＡＭ１２内における記憶領域１２ａに登録画面データを格納する（ステップ２）。
同様、取材者が取材者端末２を用いて、インターネットＮを介して、サーバー３にアクセスすると、サーバー３に表示されている登録用フォーマットがインターネットＮを介して、サーバー３へ送信される（ステップＳ１）。取材者端末１は登録用フォーマットを含む登録画面データを受信するとともに、ＲＡＭ２２内における記憶領域２２ａに登録画面データを格納する（ステップ３）。
取材依頼元端末１および取材者端末２において、登録画面（図６（Ａ））が表示された後、取材依頼元および取材者は「取材依頼元・取材者募集」の説明に従って、取材依頼元および取材者の名前、取材依頼元端末１および取材者端末２の機種名など記入する。
【００２７】
図６（Ａ）に示すように、受信された登録用フォーマット画像が登録画面として表示部１４に表示されている状態のもと、その登録フォーマット画像の中の「登録する」のソフトボタン１４ａがクリック操作されたか否かがＣＰＵ１０の働きにより判別される。「登録する」のソフトボタン１４ａがクリック操作されたと判別されると、図６（Ｂ）に示すように、確認画面として、登録フォーマット画像が表示部１４に表示される。
そこで、登録フォーマット画像が表示部１４に表示されている状態のもと、その登録フォーマット画像中の「確認」のソフトボタン１４ｂまたは「取消」ソフトボタン１４ｃがクリック操作されたか否かが判別される。もしも、「取消」ソフトボタン１４ｃがクリック操作されずに、申込を最終的に確認するための「確認」のソフトボタン１４ｂがクリック操作されたとＣＰＵ１０の働きにより判別され、この一連の操作の判定処理が完了する（ステップＳ４、Ｓ５）。
【００２８】
この一連の操作の判定処理が完了すると、取材依頼元端末１および取材者端末２は、サーバー３へ以下のデータを送信する（ステップＳ６，Ｓ７）。すなわち、▲１▼応募データ、▲２▼使用機器情報、▲３▼確認操作時刻（発信時刻）Ｔ１である。▲１▼応募データは、今回の募集に対して応募する旨の意思内容であり、▲２▼使用機器情報は、取材依頼元端末１および取材者端末２のＲＯＭ１５・ＲＯＭ２５における記憶領域１５ａ・２５ａまたはＲＡＭ１２・ＲＡＭ２２内における記憶領域１２ｃ・２２ｃに記憶されている端末ＩＤ、位置検出機能またはそれの有無、撮影機能またはそれの有無、時刻計時機能またはそれの有無、取材状況伝達機能またはそれの有無などであり、更に、▲３▼確認操作時刻（発信時刻）Ｔ１は、「確認」のソフトボタン１４ｂがクリック操作された時点における確認操作時刻（発信時刻）Ｔ１である。
【００２９】
サーバー３は、ステップＳ６、Ｓ７のステップ後、取材依頼元端末１および取材者端末２による応募者からの送信データを受信し、その送信データをＲＡＭ１２・ＲＡＭ２２内における記憶領域１２ｂ・２２ｂに格納する（ステップＳ８）。サーバー３は、その後、取材依頼元端末１および取材者端末２から送信された送信データとサーバー３におけるＲＯＭ９に予め記憶されている機種名などとを比較し、取材依頼元端末１自体および取材者端末２自体が機材として取材適格性を備えているか否かが判別される（ステップＳ８）。
取材依頼元端末１自体および取材者端末２自体が機材としての取材適格性を備えていると判別されると、サーバー３は、図７（Ａ）に示すような取材依頼元・取材者登録済み画面データを取材依頼元・取材者登録済み関連情報として取材者端末２へ送信するとともに、ＲＡＭ５ｃへ取材依頼元・取材者登録済み関連情報を格納する（ステップＳ９）。
取材依頼元端末１および取材者端末２は、サーバー３から送られてきた取材依頼元・取材者登録済み関連情報を受信する（ステップ１０，Ｓ１１）。取材依頼元端末１の取材依頼元および取材者端末２の取材者は、図７（Ａ）に示すような取材者登録済み画面データを見ることより自己が取材依頼元・取材者として、サーバー３に登録されたことを知ることができる。
【００３０】
同様な方法で、全国または全世界の人々が、多数の取材依頼元端末１および取材者端末２からの応募に従って取材依頼元および取材者がサーバー３に登録されることとなる。これ以降、登録された複数の人々が取材依頼元および取材者としての立場で取材依頼行為および取材活動を行うこととなる。
すなわち、図７（Ｂ）は取材依頼画面例を示す。取材依頼元端末１の取材依頼元は、入力部１３における手書き入力部などにより取材依頼情報を入力する。取材依頼内容は、▲１▼場所（例えば、「渋谷・ハチ公前」）、▲２▼日時（例えば、「２００２年８月３０日　午前１２：００〜１２：１０」、▲３▼撮影形態（例えば、「全景」）、▲４▼取材発信期限（例えば、「午後１：００」）といった事項である。取材依頼者は、このような取材依頼情報を入力した後、入力した取材依頼情報を画面上で確認したら、その取材依頼情報が承諾可能か否かを自己判断し、「承諾」のソフトボタン１４ｄかまたは「拒否」のソフトボタン１４ｅかをクリック操作する。取材依頼元端末２は、「承諾」のソフトボタン１４ｄまたは「拒否」ソフトボタン１４ｅがクリック操作されたか否かを判別する。もしも、「拒否」ソフトボタン１４ｅがクリック操作されずに、「承諾」のソフトボタン１４ｄがクリック操作されたと、ＣＰＵ１０の働きにより判別され、この一連の操作の判定処理が完了すると、取材依頼元端末１の取材依頼元にて入力された取材依頼情報がサーバー３へ送信される（ステップＳ１２）。
サーバー３は、この取材依頼情報を受信すると、ＲＡＭ２２へ格納する（ステップ１３）。サーバー３は、その後、取材依頼元端末１からの取材依頼情報に含まれている取材場所を取得する（ステップ１４）。取材場所は、取材依頼情報に含まれている場所（例えば、「渋谷・ハチ公前」）に対応した緯度、経度、高度に基づいて取得する。取得方法としては、種々あるが、例えば、有名な建物、地名などと緯度、経度とを対応付けて記憶している記憶テーブル、ＲＯＭなどを用いて取得する。
サーバー３は、その後、こうして取得した取材場所の近傍に取材者端末２が現存するか否かを判別する（ステップ１５）。この判別は、取材依頼情報に含まれている取材場所に対応する位置情報（緯度・経度など）と登録済みの取材者端末２から定期的にサーバー３へ送信される当該取材者端末２の現在位置情報とを比較し、この比較結果により行われる。
取材場所の近傍に取材者端末２が現存するか否かを判別は、取材の対象、種類などに応じて異なるが、この実施の形態では、取材依頼情報に含まれている取材場所またはそれに対応する位置情報から見て、半径１キロメートル以内に取材者端末２が現存するか否かを判別している。
【００３１】
サーバー３によるステップＳ１０の判別の結果、取材者端末２がまったく現存していない場合は、取材依頼情報に含まれている取材場所またはそれに対応する位置情報から見て、その範囲を拡大し、その範囲以内に取材者端末２が現存するまでその判別を続ける。この結果、取材者端末２が現存することが判別されたならば、サーバー３は、現存する取材者端末２へ取材依頼情報を送信する（ステップ１６）。この取材依頼情報は、例えば、図７（Ｂ）に示すように、依頼内容、取材期限などを含む。
取材者端末２は、この取材依頼情報を図７（Ｂ）に示すような取材依頼画面データとして受信する（ステップ１７）。この受信の際は、緊急を要するので、取材者端末２は、それに備えられている音または振動などの報知部１００または表示部１４によるメッセージなどによる取材依頼情報にて報知する。
【００３２】
取材者端末２は、この取材依頼情報を受信し、それを表示中で確認したら、依頼内容と取材期限とが承諾可能か否かを自己判断し、前述の図７（Ｂ）に示すような「承諾」のソフトボタン１４ｄかまたは「拒否」のソフトボタン１４ｅかをクリック操作する。取材者端末２は、「承諾」のソフトボタン１４ｄまたは「拒否」ソフトボタン１４ｅがクリック操作されたか否かを判別する。もしも、「拒否」ソフトボタン１４ｅがクリック操作されずに、「承諾」のソフトボタン１４ｄがクリック操作されたと、ＣＰＵ１０の働きにより判別され、この一連の操作の判定処理が完了する。この後、取材者端末２の取材者による取材活動が開始される（ステップ１８）。
取材活動の結果は、主に、デジタルカメラなどによる取材対象現場の撮影とその取材地名、現場状況の記述である。これらの取材情報を入手するにあたっては、図７（Ｂ）に示す「取材依頼画面」に記述されている取材依頼元からの取材依頼情報に従って行われる。
取材者は、図８（Ａ）に示す取材者端末２における表示部２４の取材画面を確認しながら、撮影画面の１２への格納、現場状況の手書きによる記述等を行う。なお、▲１▼取材地（位置・地名）、▲２▼取材時刻・期間、▲３▼取材者名（端末ＩＤ・撮影者名）、▲５▼機材情報は、１の取材者自身が入力部１３にて入力して表示部１４に表示するようにしても良いが、取材者端末２のＲＯＭ１５またはＲＡＭ１２に記憶されている記憶情報に基づいて、自動的に表示部１４へ表示するようにしても良い。
【００３３】
取材者端末２は、ステップＳ１３における取材処理が完了したと思ったならば、図８（Ｂ）における「取材確認画面」を確認しながら、「送信」のソフトボタン１４ｆかまたは「戻る」のソフトボタン１４ｇかをクリック操作する。取材者端末２のＣＰＵ２０は、「送信」のソフトボタン１４ｆまたは「拒否」ソフトボタン１４ｇがクリック操作されたか否かを判別する。もしも、「戻る」ソフトボタン１４ｇがクリック操作されずに、「送信」のソフトボタン１４ｆがクリック操作されたと、ＣＰＵ１０の働きにより判別され、この一連の操作の判定処理が完了する（ステップＳ１８）。
この一連の操作の判定処理が完了（ステップ１８における取材処理が完了）すると、ステップＳ１９のステップに移行する。このステップＳ１９では、▲１▼取材情報、▲２▼送信操作時刻（発信時刻）Ｔ１がサーバー３に向けて送信される。▲１▼取材情報は、前述の取材対象現場の撮影、その取材地名、現場状況の記述などである。▲２▼送信操作時刻（発信時刻）Ｔ１は、図８（Ｂ）における「送信」のソフトボタン１４ｆがクリック操作された時点における取材者端末２の時刻計時機能部の時刻である。
【００３４】
サーバー３は、取材者端末２から送信された送信データと発信時刻Ｔ２とを受信する（ステップ２０）。サーバー３は、受信した送信データと発信時刻Ｔ１とをＲＡＭ５に格納する。また、サーバー３は、取材者端末２から送信されたデータが到着した到着時刻Ｔ２を記憶した後、取材者端末２から受信した内容である取材情報またはこの取材情報に基づいた編集を行う。
編集結果は、例えば、図９（Ａ）の「取材情報画面例」で示すような画面である。この画面のうち、例えば、「場所：ハチ公前の撮影画像」は取材者端末２で取材者がハチ公前にて撮影した画像であり、「▲１▼場所：ハチ公前」「▲２▼日時：」などは取材者端末２へ取材者が入力した取材情報である。
サーバー３は、このような取材情報または編集情報である画面データを、取材依頼元端末１に向けて送信する（ステップＳ２１）。
【００３５】
サーバー３は、このような取材情報を取材依頼元端末１へ送ったあと、取材者端末２の取材者に対する対価の支払い依頼を、取材依頼元端末１との間で支払い契約を事前に締結している金融機関端末２へ通知する（ステップ２２）。
取材依頼元端末１は、取材者端末２にて取材され、サーバー３から受信した取材情報またはこの取材編集済み情報を受信する（ステップＳ２２）と、この取材情報またはこの取材編集済み情報をＲＡＭ１２に記憶するとともに、取材情報またはこの取材編集済み情報を表示部１４に表示する（ステップＳ２３）。このため、取材依頼元端末１の取材依頼元は、取材者端末２にて取材され、サーバー３から受信した取材情報またはこの取材編集済み情報を表示部１４を通じて、迅速かつ確実に目で確認することができる。
【００３６】
金融機関端末Ｋは、この対価の振込み依頼通知を受信すると、この依頼通知内容に従った対価を取材者端末２の口座へ振り込むとともに、その対価の振込完了通知を取材者端末２またはサーバー３へ送信する（ステップ２４）。対価の振込完了通知は、例えば、図９（Ｂ）における「対価振込完了通知画面」であり、「対価振込完了通知」と「説明文」とである。この場合、対価の振込完了をサーバー３へ送信するようにし、サーバー３を経由して、対価の振込完了を取材者端末２へ送信するようにしても良い。
取材者端末２は、金融機関端末Ｋまたはサーバー３から対価振込完了通知を受信する（ステップ２６）
【００３７】
ところで、この実施の形態では、取材依頼元端末１および取材者端末２は、一般の市販されているカメラ機能付携帯電話端末を用いるようにしているが、これに限定されない。
図１０から図１２は取材依頼元端末１および取材者端末２に使用される撮影機能付携帯電話端末の別な例を示す。
この撮影機能付携帯電話端末Ｄは、アンテナ部５０、表示部５１、シャッタースイッチ部５２、ファインダー部５３、通話用スピーカー５４Ａ、カメラ部５４Ｂを備えている第１の本体部５４と、キーボード部５５、通話用マイク部５６Ａを備えている第２の本体部５６とを備えている。第１の本体部５４と第２の本体部５６とはヒンジ部５７を介して折りたたみ可能に連結されている。第１の本体部５４と第２の本体部５６は全体が長方形の形状をしている。第１の本体部５４は、第１、第２、第３および第４の四つの側部５１ａ、５１ｂ、５１ｃ、５１ｄを備えている。
【００３８】
アンテナ部５０は、第１の側部５１ａと第２の側部５１ｂと間におけるコーナー部分と第１の本体部の背部との境界部分から突出して設けられている。また、シャッタースイッチ部は、第１の側部と第２の側部との円弧状のコーナー部分Ｃのうち、前記アンテナ部５０の基端側の部分５０ａに設けられている。このため、第１の側部５１ａと第２の側部５１ｂとにわたって人差し指Ｐを沿わせた場合、人差し指Ｐの背部は前記アンテナ部５０により位置決めされるとともに、人差し指Ｐの先端はシャッタースイッチ部５２の上方に位置されることとなり、人差し指Ｐの背部を前記アンテナ部５０により位置決めされた状態で、シャッタースイッチ部５２を人差し指Ｐの先端にて操作することができるようになっている。
表示部５１は、図１の表示部１４、２４に対応する表示部であるが、モード切替スイッチ部Ｍを操作して撮影モードに設定すると、横長の画面表示に切り替えられるようになっている。この横長の画面表示となっている表示部５１に表示された外部の撮影画像を確認しながら、シャッタースイッチ部を人差し指で操作して、外部の撮影画像をＲＡＭ１２、２２へ記憶させることができるようになっている。
ファインダー部５３は、第１の側部５１ａと第４の側部５１ｄとのコーナー部寄りの位置に設けられており、外部の被写体はこのファインダー部５３にて目で確認しながら撮影可能となっている。
【００３９】
このような構成を備えた撮影機能付携帯電話端末Ｄによれば、通話用スピーカー５４Ａおよび通話用マイク部５６Ａを用いて通常の通話を行うことができるばかりでなく、モード切替スイッチ部Ｍを操作して撮影モードに設定した後、表示部５１を横長の画面表示に切り替え、この横長の画面表示となっている表示部５１に表示された外部の撮影画像Ｇを確認しながら、シャッタースイッチ部５２を人差し指で操作すれば、人差し指Ｐの背部を前記アンテナ部５０により位置決めされた状態で、シャッタースイッチ部５２を人差し指Ｐの先端にて操作することができ、迅速かつ確実に外部の撮影画像を撮影し、その撮影画像を内部のＲＡＭ１２、２２へ記憶させることができる。
【００４０】
また、この実施の形態では、取材依頼元端末１、サーバー３等の端末は携帯パソコンを用いているが、これに限られず、例えば、ＰＤＡ、電子手帳、携帯電話などの他の携帯端末または電子機器でも良い。
【００４１】
【発明の効果】
以上説明したように、この発明によれば、次のような効果を奏することができる。
を備えていることを特徴とする。
【００４２】
請求項１記載の発明によれば、取材依頼元端末から送られてきた取材依頼情報を受信し、この受信された取材依頼情報に含まれている取材場所情報に対応する取材依頼先端末へ前記取材依頼情報を送信した上で、この送信された取材依頼情報に従った取材情報を前記取材依頼先端末から受信することができ、この受信された取材情報を前記取材依頼元端末へ送信することができる。
請求項２記載の発明によれば、取材依頼元端末から送られてきた取材依頼情報を受信し、　この受信された取材依頼情報に含まれている取材場所情報に対応し、かつ、前記取材依頼情報に含まれている端末の機器情報に対応する取材依頼先端末へ前記取材依頼情報を送信すると、この送信された取材依頼情報に従った取材情報を前記取材依頼先端末から受信することができ、この受信された取材情報を前記取材依頼元端末へ送信することができる。
請求項３記載の発明によれば、取材依頼元端末から送られてきた取材依頼情報を受信し、この受信された取材依頼情報に含まれている取材場所の近傍に取材依頼先端末が現存しているか否かを検出し、この取材者端末が前記取材場所の近傍に現存していると検出された場合、この検出された取材者端末へ前記第１の受信手段により受信された取材依頼情報を送信すると、この送信された取材依頼情報に従った取材情報を前記取材依頼先端末から受信することができ、この受信された取材情報を前記取材依頼元端末へ送信することができる。
【００４３】
請求項１３記載の発明によれば、管理用サーバーを介して取材依頼元端末から送信された取材依頼情報を受信し、この受信された取材依頼情報を表示部に表示させることができるばかりでなく、この表示された取材依頼情報に従って取材を行い、この取材結果である取材情報を前記管理用サーバーに向けて送信することができる。
請求項１４記載の発明によれば、ネットワークを介して管理用サーバーと接続されている取材用携帯端末装置において、取材場所に関する取材場所情報を含む取材依頼情報を送信すると、この送信された取材場所情報に対応する取材場所における取材情報を前記管理用サーバーから受信することができる。
【図面の簡単な説明】
【図１】本実施の形態にかかる取材情報提供システムの全体を示す全体ブロック図である。
【図２】（Ａ）及び（Ｂ）は取材依頼元端末及び取材者端末における入力部を示す図である。
【図３】（Ａ）（Ｂ）及び（Ｃ）はサーバー、取材依頼元端末及び取材者端末におけるＲＯＭの構成を示す図である。
【図４】（Ａ）（Ｂ）及び（Ｃ）は取材依頼元端末、サーバー、及び取材者端末におけるＲＡＭの構成を示す図である。
【図５】本実施の形態にかかる取材情報提供システムにおける各端末等の処理を示す図である。
【図６】（Ａ）及び（Ｂ）は取材者端末・取材依頼元端末における応募登録画面と確認画面とを示す図である。
【図７】（Ａ）及び（Ｂ）は取材者端末・取材依頼元端末における取材者登録済み画面と取材依頼画面とを示す図である。
【図８】（Ａ）及び（Ｂ）は取材者端末における取材画面及び取材確認画面を示す図である。
【図９】（Ａ）及び（Ｂ）は取材依頼元端末における取材画面例及び対価振込完了通知画面例を示す図である。
【図１０】取材依頼元端末および取材者端末に使用される撮影機能付携帯電話端末の別な例を示す平面図である。
【図１１】図１０における撮影機能付携帯電話端末の側面図である。
【図１２】図１０における撮影機能付携帯電話端末の背面図である。
【符号の説明】
１　　　　　　　　　取材者端末
２　　　　　　　　　取材者端末
３　　　　　　　　　サーバー
４ａ　　　　　　　　受信部
４ｂ　　　　　　　　送信部
５　　　　　　　　　ＲＡＭ
６、１０、２０　　　ＣＰＵ
７，１３，２３　　　入力部
８、１４，２４　　　表示部
９、１５，２５　　　ＲＯＭ
Ｎ　　　　　　　　　インターネット
【図１】
2004096413.tif 000003
【図２】
2004096413.tif 000004
【図３】
2004096413.tif 000005
【図４】
2004096413.tif 000006
【図５】
2004096413.tif 000007
【図６】
2004096413.tif 000008
【図７】
2004096413.tif 000009
【図８】
2004096413.tif 000010
【図９】
2004096413.tif 000011
【図１０】
2004096413.tif 000012
【図１１】
2004096413.tif 000013
【図１２】
2004096413.tif 000014